(57)【要約】【課題】眼鏡自体の強度、剛性を維持しつつ、フード部付近へ軟質樹脂を使用して顔面への密着性の向上と衝撃吸収効果を備えるとともに、軟質樹脂の部材の安易な脱落を防止する構造を備えたフード付き眼鏡を提供する。【解決手段】レンズフレーム本体２０に被着用者Ｈの顔面Ｆ側に延設されたフード部４０を有するフード付き眼鏡１０であって、フード部４０はレンズフレーム本体２０と同一の硬質材によって一体に形成されているとともに、フード部４０の端部には顔面保護用の弾性材よりなる保護縁部５０が形成されていて、保護縁部５０はフード部４０端部に断面コ字状に配設されており、かつフード部４０端部近傍に穿設された貫通孔４５に一体に埋入された連結部５０を介して該フード部４０と一体に形成されている。【選択図】図１
0003186149.tif 000002
【実用新案登録請求の範囲】
【請求項１】
レンズフレーム本体に被着用者の顔面側に延設されたフード部を有するフード付き眼鏡であって、
前記フード部は前記レンズフレーム本体と同一の硬質材によって一体に形成されているとともに、前記フード部の端部には顔面保護用の弾性材よりなる保護縁部が形成されていて、
前記保護縁部は前記フード部端部に断面コ字状に配設されており、かつ前記フード部端部近傍に穿設された貫通孔に一体に埋入された連結部を介して該フード部と一体に形成されていることを特徴とするフード付き眼鏡。
【請求項２】
前記保護縁部が、前記フード部を含むレンズフレーム本体を成形型にインサートしてこれと一体に成形された請求項１に記載のフード付き眼鏡。
【請求項３】
前記保護縁部が、前記フード部の上側部分に配設された請求項１又は２に記載のフード付き眼鏡。
【請求項４】
前記保護縁部が被着用者の眼窩と密接する曲面形状に配設された請求項１ないし３のいずれか１項に記載のフード付き眼鏡。
【請求項５】
前記保護縁部が熱可塑性エラストマーよりなる請求項１ないし４のいずれか１項に記載のフード付き眼鏡。
【考案の詳細な説明】
【技術分野】
【０００１】
本考案は、フード付き眼鏡に関し、特にフード部分に弾性材を備えたフード付き眼鏡に関する。
【背景技術】
【０００２】
レンズを保持するフレーム（あるいはリムとも称する。）にフード部を備えたフード付き眼鏡は、防塵、花粉症対策、スポーツ時の目の保護等の用途で広く活用されている。また、眼科手術後の保護用としても利用されている（特許文献１参照）。一般にフード付き眼鏡は、フレームとフードを同一の樹脂材料として全体が一体に成形される。フレームはレンズを保持する都合上、撓み変形を生じにくくするため、硬質の樹脂材料から形成され、そのまま同じ樹脂材料によりフード部も形成される。このような一体成形されたフード付き眼鏡によると、フード部の大きさはフレームに依存した大きさになるため、一般に眼球周辺の皮膚が大きく覆われる。
【０００３】
フード付き眼鏡は眼球保護の目的から、顔面の眼窩の周辺の皮膚に密着あるいは僅かな距離で近接する。フード付き眼鏡に衝撃が加わり必要以上に顔面側に近づいた場合、フード部が顔面と接触して皮膚等が逆に傷つけられやすくなる。眼球周辺の皮膚を覆う都合上、フード部は不可避的に被着用者の顔面側に突き出た形態となる。また、フード部は大きく成形されると眉周辺と接触することとなり、まぶた等のやわらかい箇所に比べて傷つけられやすくなるおそれがある。
【０００４】
このような、フード部に起因する問題への対処として、フード部をフレームよりも軟質の樹脂から形成したフード付き眼鏡が提案されている（特許文献２等参照）。この種類のフード付き眼鏡によると、フード部に樹脂弾性が伴うことにより、顔面への密着性の向上と衝撃吸収効果も備わることとなり使い勝手や眼鏡の装着感もより良くなる。
【０００５】
しかしながら、ひとつの眼鏡においてフレームとフード部に異なる樹脂を使用することとなる。このため、フレームとフード部を別々に成形し、事後的にフレームにフード部を取り付けていた。特に、フード部の樹脂の弾性変形量が大きく、強固にフレームに固定することは容易ではなく、フード部の位置ずれや脱落を完全に回避することは困難であった。例えば、スポーツ用途の眼鏡を想定した場合に顕著である。フレームからフード部が外れやすいようであれば、逆にフレームの顔面への接触が懸念される。そこで、フード部に軟質の樹脂を用いることによる顔面への密着性の向上と衝撃吸収効果を備え、かつ、安易な脱落を防止する構造が切望されている。
【先行技術文献】
【特許文献】
【０００６】
【特許文献１】実用新案登録第３０９２７２４号公報
【特許文献２】特許第４０９５８５４号公報
【考案の概要】
【考案が解決しようとする課題】
【０００７】
本考案は、前記の点に鑑みなされたものであり、眼鏡自体の強度、剛性を維持しつつ、フード部付近へ軟質樹脂を使用して顔面への密着性の向上と衝撃吸収効果を備えるとともに、軟質樹脂の部材の安易な脱落を防止する構造を備えたフード付き眼鏡を提供する。
【課題を解決するための手段】
【０００８】
すなわち、請求項１の考案は、レンズフレーム本体に被着用者の顔面側に延設されたフード部を有するフード付き眼鏡であって、前記フード部は前記レンズフレーム本体と同一の硬質材によって一体に形成されているとともに、前記フード部の端部には顔面保護用の弾性材よりなる保護縁部が形成されていて、前記保護縁部は前記フード部端部に断面コ字状に配設されており、かつ前記フード部端部近傍に穿設された貫通孔に一体に埋入された連結部を介して該フード部と一体に形成されていることを特徴とするフード付き眼鏡に係る。
【０００９】
請求項２の考案は、前記保護縁部が、前記フード部を含むレンズフレーム本体を成形型にインサートしてこれと一体に成形された請求項１に記載のフード付き眼鏡に係る。
【００１０】
請求項３の考案は、前記保護縁部が、前記フード部の上側部分に配設された請求項１又は２に記載のフード付き眼鏡に係る。
【００１１】
請求項４の考案は、前記保護縁部が被着用者の眼窩と密接する曲面形状に配設された請求項１ないし３のいずれか１項に記載のフード付き眼鏡に係る。
【００１２】
請求項５の考案は、前記保護縁部が熱可塑性エラストマーよりなる請求項１ないし４のいずれか１項に記載のフード付き眼鏡に係る。
【考案の効果】
【００１３】
請求項１の考案に係るフード付き眼鏡によると、レンズフレーム本体に被着用者の顔面側に延設されたフード部を有するフード付き眼鏡であって、前記フード部は前記レンズフレーム本体と同一の硬質材によって一体に形成されているとともに、前記フード部の端部には顔面保護用の弾性材よりなる保護縁部が形成されていて、前記保護縁部は前記フード部端部に断面コ字状に配設されており、かつ前記フード部端部近傍に穿設された貫通孔に一体に埋入された連結部を介して該フード部と一体に形成されているため、当該眼鏡自体の強度や剛性を維持しつつ、フード部付近における被着用者の顔面への密着性の向上と衝撃吸収効果を得ることができるとともに、保護縁部のフード部からの脱落を効果的かつ確実に防止することができる。
【００１４】
請求項２の考案に係るフード付き眼鏡によると、請求項１の考案において、前記保護縁部が、前記フード部を含むレンズフレーム本体を成形型にインサートしてこれと一体に成形されたため、事後的な保護縁部の取り付け作業を省略して連続的に行うことができ、製造効率が向上する。
【００１５】
請求項３の考案に係るフード付き眼鏡によると、請求項１又は２の考案において、前記保護縁部が、前記フード部の上側部分に配設されたため、フード部が眉周辺と当たったとしても額を傷つけにくくなる。
【００１６】
請求項４の考案に係るフード付き眼鏡によると、請求項１ないし３のいずれかの考案において、前記保護縁部が被着用者の眼窩と密接する曲面形状に配設されたため、小さなゴミや埃等の異物がフード部内に入りにくくなり、より目の保護性能を向上させることができる。
【００１７】
請求項５の考案に係るフード付き眼鏡によると、請求項１ないし４のいずれかの考案において、前記保護縁部が熱可塑性エラストマーよりなるため、加工（製造）が容易であるとともに、極めて良好な樹脂弾性を備えることができて、安全性がより高まる。
【図面の簡単な説明】
【００１８】
【図１】本考案のフード付き眼鏡の背面側からの全体斜視図である。
【図２】レンズフレーム本体の正面図である。
【図３】レンズフレーム本体の背面図である。
【図４】フード部付近の上面図である。
【図５】フード付き眼鏡の左側面図である。
【図６】フード付き眼鏡の着用時の左側からの部分概要図である。
【図７】フード付き眼鏡の着用時の上側からの部分概要図である。
【図８】フード部を含むレンズフレーム本体の縦端面図である。
【図９】フード部の端部近傍の部分上面図である。
【図１０】保護縁部の部分斜視図である。
【図１１】フード部を含むレンズフレーム本体の成形方法の概略断面図である。
【図１２】フード部に保護縁部を一体に形成する方法の概略断面図である。
【考案を実施するための形態】
【００１９】
図１，２に示す本考案の一実施例に係るフード付き眼鏡１０は、防塵、花粉症対策、スポーツ時や眼科手術後等の目の保護用等の用途で活用されるものであって、レンズ１１と、レンズフレーム本体２０と、テンプル３０と、フード部４０とを有する。レンズ１１は、被着用者Ｈの右目に対応する右レンズ１１Ｒと、被着用者Ｈの左目に対応する左レンズ１１Ｌとからなる。このレンズ１１は、ガラスレンズやプラスチックレンズ等の公知のメガネレンズが用いられる。
【００２０】
レンズフレーム本体２０は、図１〜図４に示すように、レンズ１１を保持するものであって、右レンズ１１Ｒを保持する右フレーム部２１と、左レンズ１１Ｌを保持する左フレーム部２２と、各フレーム部２１，２２を接続するブリッジ２３とを有する。このレンズフレーム本体２０の材質としては、グリルアミド等のポリアミド系樹脂、ポリカーボネート樹脂、アクリル樹脂等の公知の眼鏡フレームとして使用可能な硬質材（樹脂材料）が好適に用いられる。
【００２１】
また、レンズフレーム本体２０では、図１〜図４に示すように、各フレーム部２１，２２の外端部に後述するテンプル３０を接続するための智（ヨロイ）２５が設けられている。実施例では、右フレーム部２１の右端部に右側智２６、左フレーム部２２の左端部に左側智２７が、それぞれ対応するフレーム部２１，２２と一体に成形される。このため、フード付き眼鏡１０を構成する部品が少なく、容易に製造することができる。
【００２２】
テンプル３０は、図１，２，４に示すように、被着用者Ｈの耳に掛けてレンズフレーム本体２０を被着用者Ｈの顔面Ｆ側に保持するものであって、レンズフレーム本体２０の智２５にヒンジ部３５を介して折り畳み可能に接続される。実施例のテンプル３０は、図１，５に示すように、先端側が下方に屈曲して形成されており、耳に掛かりやすくして着用時のレンズフレーム本体２０のズレを抑制するように構成される。図において、符号３１は右側智２６に接続される右テンプル、３２は左側智２７に接続される左テンプルである。
【００２３】
フード部４０は、図１，３〜７に示すように、レンズフレーム本体２０に被着用者Ｈの顔面Ｆ側（レンズフレーム本体２０の裏側）へ延設された部分であって、被着用者Ｈの眼球の周辺とレンズ１１との隙間を覆うことにより、前記隙間からの小さなゴミや埃等の異物の侵入を抑制して眼球を保護する。このフード部４０は、レンズフレーム本体２０と同一の硬質材によって一体に形成されている。そのため、当該眼鏡１０自体の強度や剛性を維持することができる。なお、図中の符号４１は右フレーム部２１から一体に延設された右フード部、４２は左フレーム部２２から一体に延設された左フード部である。
【００２４】
このフード部４０では、図８に示すように、端部にフード部４０の厚みより肉薄な肉薄部４３が形成されている。肉薄部４３は、少なくともフード部４０の上側端部に形成される。実施例では、フード部４０の上側端部に上側肉薄部４３Ａ、下側端部に下側肉薄部４３Ｂがそれぞれ形成されている。また、図９に示すように、このフード部４０端部近傍の肉薄部４３には、少なくとも１以上の貫通孔４５が穿設されている。貫通孔４５は、複数形成される場合、端部に沿って略直列状に設けられる。
【００２５】
上記フード部４０にあっては、図１，３〜８に示すように、端部の肉薄部４３に被着用者Ｈの顔面保護用の保護縁部５０が形成されている。保護縁部５０は、弾性材よりなり、少なくともフード部４０の上側部分に配設される。実施例では、フード部４０の上側肉薄部４３Ａに配設された上側保護縁部５０Ａと、下側肉薄部４３Ｂに配設された下側保護縁部５０Ｂからなる。保護縁部５０を構成する弾性材としては、被着用者Ｈの顔面Ｆとの接触時に跡が付いたり傷付けたりしにくく、かつ、痛みを感じにくい適宜の材料が使用され、例えば、合成ゴムやシリコーン樹脂の他、ウレタン系エラストマー、オレフィン系エラストマー、スチレン系エラストマー等の熱可塑性エラストマー等を使用することができる。特に、熱可塑性エラストマーとすれば、加工（製造）が容易であるとともに、極めて良好な樹脂弾性を備えることができて、安全性がより高まる。このように、フード部４０端部の肉薄部４３に弾性材よりなる保護縁部５０を設けることにより、フード部４０付近における被着用者Ｈの顔面Ｆへの密着性の向上と衝撃吸収効果を得ることができる。
【００２６】
保護縁部５０は、図８，１０に示すように、フード部４０の端部（特に肉薄部４３）に嵌着可能な嵌着凹部５２を有する断面略コ字状の保護縁部本体５１と、保護縁部本体５１の嵌着凹部５２内に設けられてフード部４０端部近傍に穿設された貫通孔４５に埋入される連結部５５とからなり、連結部５５を介してフード部４０と一体に形成される。実施例の連結部５５は、嵌着凹部５２の内上面５２Ａと内下面５２Ｂとの間に一体形成された略円柱形状の部位であり、フード部４０の貫通孔４５と同数設けられる。この保護縁部５０にあっては、断面略コ字状の保護縁部本体５１がフード部４０の端部（肉薄部４３）に嵌着されるとともに、連結部５５がフード部４０端部近傍の貫通孔４５に埋入されるため、フード部４０からの脱落を効果的に防止することができる。また、保護縁部５０の保護縁部本体５１はフード部４０の厚みと略等しい厚みを有しており、フード部４０との間に段差が形成されないため、一体感が得られて外観性や意匠性の妨げにならない。
【００２７】
上記保護縁部５０にあっては、図４，６，７に示すように、先端部が被着用者Ｍの眼窩（ここでは、眼球Ｅを取り巻く頭蓋骨の窪み及びその周辺部分を指す。）と密接する曲面形状５４に形成されている。実施例では、フード部４０とともに被着用者の眼窩対して環状に接するように構成され、被着用者Ｈの顔面Ｆの凹凸に対応した形状、特に眼球周りの眼窩近傍に対応した曲面形状５４に形成される。そのため、図６に示すように、被着用者Ｈの顔面Ｆに対応して環状に眼窩周辺を覆うことが可能となり、顔面の目尻側まで覆うことができ、小さなゴミや埃等の異物がフード部４０内に入りにくくなり、より目の保護性能を向上させることができる。
【００２８】
また、図６から把握されるように、被着用者Ｈの眉の下付近に上側保護縁部５０Ａが位置し、眼球下の眼窩に下側保護縁部５０Ｂが位置する。したがって眼窩の左右方向のみならず、上下方向も十分に保護される。そして、上側保護縁部５０Ａは眉よりも下に位置するため、フード部４０が眉周辺と当たったとしても額を傷つけにくくなる。なお、フード部４０の先端部及び保護縁部５０の先端部は、被着用者Ｈの顔面Ｆに接するため、面取り状に形成される。これにより、被着用者Ｈはフード部４０や保護縁部５０の先端が肌に当接した時にも痛みを感じにくい。
【００２９】
次に、本考案のフード付き眼鏡１０の製造方法を説明する。ここに図示し説明する製造方法は一例であり、必ずしも限定されるものではない。まず、フード部４０を含むレンズフレーム本体２０を成形するために、図１１に示すように、成形チャンバ１０５を有するレンズフレーム本体用の成形型１００を用いた公知の射出成形が行われる。実施例の成形型１００は、複数（このでは３つ）の割り型１０１，１０２，１０３からなり、各割り型１０１，１０２，１０３の成形面１０１ａ，１０２ａ，１０３ａによって、フード部４０を含むレンズフレーム本体２０のための成形チャンバ１０５が形成される。なお、図の符号１０４は割り型１０３に形成された射出装置の挿入口、１１０は挿入口１０４に挿入される射出装置の射出ノズルである。
【００３０】
上記レンズフレーム本体２０の成形方法では、割り型１０１，１０２，１０３によって成形型１００を形成した後、公知の射出成形機（射出ノズル１１０）からポリアミド系樹脂、ポリカーボネート樹脂、アクリル樹脂等の適宜の樹脂材料を射出して行われる。これにより、右フレーム部２１と左フレーム部２２とブリッジ２３と智２５とが一体に形成されたレンズフレーム本体２０と、肉薄部４３が形成された右フード部４１及び左フード部４２を有するフード部４０とが一体成形される。このようにして得られたフード部４０を含むレンズフレーム本体２０では、フード部４０の端部近傍に形成された肉薄部４３に、貫通孔４５が適宜必要数穿設される。あるいは、成形型により直接貫通孔４５を形成してもよい。
【００３１】
次に、フード部４０の端部に保護縁部５０を形成するために、図１２に示すように、肉薄部４３に貫通孔４５が形成されたフード部４０を含むレンズフレーム本体２０が保護縁部用の成形型１２０にインサートされて、公知の射出成形が行われる。実施例の成形型１２０は、複数（このでは３つ）の割り型１２１，１２２，１２３からなり、割り型１２１，１２２にレンズフレーム本体２０を収容する収容凹部１２１ａ，１２２ａがそれぞれ形成されているとともに、割り型１２３にフード部４０の端部の肉薄部４３を覆うように設けられた保護縁部５０のための成形面１２３ａが形成されている。なお、図の符号１２４は割り型１２３に形成された射出装置の挿入口、１２５はレンズフレーム本体２０のフード部４０（薄肉部４３）と割り型１２３の成形面１２３ａとで構成される成形チャンバ、１３０は挿入口１２４に挿入される射出装置の射出ノズルである。
【００３２】
上記保護縁部５０の成形方法では、割り型１２１，１２２の収容凹部１２１ａ，１２２ａにレンズフレーム本体２０を収容し、割り型１０３を組み付けて成形型１２０を形成した後、公知の射出成形機（射出ノズル１３０）から熱可塑性エラストマー等の適宜の樹脂材料を射出して行われる。射出成形機（射出ノズル１３０）から射出された樹脂材料は、フード部４０端部の肉薄部４３に形成された貫通孔４５を含む成形型１２０の成形チャンバ１２５内に充填される。そのため、フード部４０（肉薄部４３）の貫通孔４５に連結部５５が一体に埋入された状態で保護縁部５０がフード部４０端部の肉薄部４３に一体に形成される。このように、フード部４０を含むレンズフレーム本体２０を成形型１２０にインサートして保護縁部５０を一体成形すれば、事後的な保護縁部５０の取り付け作業を省略して連続的に行うことができ、製造効率が向上する。
【００３３】
なお、レンズフレーム本体２０のフード部４０に保護縁部５０を形成した後、レンズフレーム本体２０の各フレーム部２１，２２にレンズ１１（１１Ｒ，１１Ｌ）が取り付けられるとともに、レンズフレーム本体２０の智２５（２６，２７）にヒンジ部３５を介してテンプル３０（３１，３２）が取り付けられることにより、フード付き眼鏡１０の製造が完了する。
【００３４】
以上図示し説明したように、本考案のフード付き眼鏡１０では、レンズフレーム本体２０に一体に延設されたフード部４０がレンズフレーム本体と同一の硬質材によって形成されているとともに、フード部４０の端部に顔面保護用の弾性材よりなる保護縁部５０が形成されているため、当該眼鏡１０自体の強度や剛性を維持しつつ、フード部４０付近における被着用者Ｈの顔面Ｆへの密着性の向上と衝撃吸収効果を得ることができる。特に、保護縁部５０がフード部４０端部に断面コ字状に配設されており、かつフード部４０端部近傍に穿設された貫通孔４５に一体に埋入された連結部５５を介して該フード部４０と一体に形成されているため、保護縁部５０のフード部４０からの脱落を効果的かつ確実に防止することができる。
【００３５】
また、保護縁部５０を少なくともフード部４０の上側部分に配設すれば、フード部４０が被着用者Ｈの眉周辺と当たったとしても額を傷つけにくくなる。さらに、保護縁部５０を被着用者Ｈの眼窩と密接する曲面形状４８に配設することで、着用時に小さなゴミや埃等の異物がフード部４０内に入りにくくなり、より目の保護性能を向上させることができる。加えて、保護縁部５０を熱可塑性エラストマーとすれば、加工（製造）も容易であるとともに、極めて良好な樹脂弾性を備えることができて、安全性がより高まる。
【００３６】
さらに、保護縁部５０は、フード部４０を含むレンズフレーム本体２０を成形型１２０にインサートして一体に成形されるため、事後的な保護縁部５０の取り付け作業を省略して連続的に行うことができ、製造効率が向上する
【００３７】
なお、本考案のフード付き眼鏡は、前述の実施例のみに限定されるものではなく、考案の趣旨を逸脱しない範囲において構成の一部を適宜に変更して実施することができる。例えば、実施例では、保護縁部をフード部の上側端部と下側端部に設けたが、これに限らず、フード部端部全周に亘って設ける等、フード部端部の適宜の部分に設けることができる。
【符号の説明】
【００３８】
１０    フード付き眼鏡
１１    レンズ
１１Ｒ  右レンズ
１１Ｌ  左レンズ
２０    レンズフレーム本体
２１    右レンズ部
２２    左レンズ部
２３    ブリッジ
２５    智
３０    テンプル
４０    フード部
４１    右フード部
４２    左フード部
４３    肉薄部
４５    貫通孔
４８    曲面形状
５０    保護縁部
５５    連結部
Ｈ    被着用者
Ｆ    顔面
【図１】
0003186149.tif 000003
【図２】
0003186149.tif 000004
【図３】
0003186149.tif 000005
【図４】
0003186149.tif 000006
【図５】
0003186149.tif 000007
【図６】
0003186149.tif 000008
【図７】
0003186149.tif 000009
【図８】
0003186149.tif 000010
【図９】
0003186149.tif 000011
【図１０】
0003186149.tif 000012
【図１１】
0003186149.tif 000013
【図１２】
0003186149.tif 000014